(57)【要約】【課題】  環境パラメータを自動で計測し、計測された環境パラメータに対して適切な環境制御機器を選択できる環境判断システム等を提供することを目的とする。【解決手段】  複数の環境制御機器５と、温度、湿度、空気質の何れか２つ以上の環境パラメータを計測する計測部１１と、環境パラメータごとに設定され、少なくとも上限値を有する第１適正範囲を格納した閾値テーブル１４と、複数の環境パラメータ間の優先度合いを格納した優先度テーブル１６と、環境パラメータごとに設定され、環境制御機器５と、環境制御機器５ごとの実施効果度と、環境制御機器５の制御方法との関係を格納した機器選択テーブル１８と、閾値テーブル１４、優先度テーブル１６、及び、機器選択テーブル１８を参照して、複数の環境制御機器５のうち何れかの環境制御機器５を選択する機器制御部１７とを備える。【選択図】      図８
2014240733.tif 000002
【特許請求の範囲】
【請求項１】
複数の環境制御機器と、
少なくとも温度、湿度、空気質の何れか２つ以上の環境パラメータを計測する計測手段と、
前記環境パラメータごとに設定され、少なくとも上限値を有する第１適正範囲を格納した閾値テーブルと、
複数の環境パラメータ間の優先度合いを格納した優先度テーブルと、
前記環境パラメータごとに設定され、前記環境制御機器と、前記環境制御機器ごとの実施効果度と、前記環境制御機器の制御方法との関係を格納した機器選択テーブルと、
前記閾値テーブル、前記優先度テーブル、及び、前記機器選択テーブルを参照して、前記複数の環境制御機器のうち何れかの環境制御機器を選択する判断手段と
を備えることを特徴とする環境判断システム。
【請求項２】
前記判断手段は、
前記計測手段により計測された環境パラメータと前記閾値テーブルとを対比して、前記第１適正範囲を超える環境パラメータを判断し、
前記優先度テーブルを参照して、前記第１適正範囲を超える環境パラメータの優先度を判断し、
前記機器選択テーブルを参照して、最も優先度が高い環境パラメータについて前記環境制御機器の実施効果度が最も高い環境制御機器を選択すること
を特徴とする請求項１に記載の環境判断システム。
【請求項３】
前記機器選択テーブルを参照して、前記判断手段により選択された環境制御機器を提示する提示手段を備えることを特徴とする請求項２に記載の環境判断システム。
【請求項４】
前記機器選択テーブルを参照して、前記判断手段により選択された環境制御機器を、当該環境制御機器の制御方法に従って動作させる制御手段を備えることを特徴とする請求項２に記載の環境判断システム。
【請求項５】
前記閾値テーブルは、前記環境パラメータごとに、前記第１適正範囲を含んで、当該第１適正範囲を超える第２適正範囲を格納しており、
前記判断手段は、
前記閾値テーブルを参照して、前記第２適正範囲を超える環境パラメータを判断し、
前記優先度テーブルを参照して、前記第２適正範囲を超える環境パラメータの優先度を判断し、
前記機器選択テーブルを参照して、最も優先度が高い環境パラメータについて前記環境制御機器の実施効果度が高い複数の環境制御機器を選択すること
を特徴とする請求項２乃至請求項４の何れか一項に記載の環境判断システム。
【請求項６】
前記閾値テーブルは、前記環境パラメータごとに、前記第１適正範囲を含んで、当該第１適正範囲を超える第２適正範囲を格納しており、
前記機器選択テーブルは、前記環境制御機器と、前記環境制御機器の実施効果度と、前記環境制御機器の制御方法と、前記環境制御機器の消費エネルギーの関係を格納しており、
前記判断手段は、
前記閾値テーブルを参照して、前記第２適正範囲を超える環境パラメータを判断し、
前記計測手段により計測した環境パラメータが前記第２適正範囲を超えない場合に、前記機器選択テーブルを参照して前記消費エネルギーが小さい環境制御機器を優先的に選択すること
を特徴とする請求項２乃至請求項４の何れか一項に記載の環境判断システム。
【請求項７】
前記判断手段は、
前記計測手段により計測された環境パラメータと前記閾値テーブルとを対比して、前記第１適正範囲を超える環境パラメータを判断し、
前記優先度テーブルを参照して、前記第１適正範囲を超える環境パラメータの優先度を判断し、
前記機器選択テーブルを参照して、最も優先度が高い環境パラメータについて前記環境制御機器の実施効果度が最も高い環境制御機器を選択し、
前記環境制御機器の運転電力を抑制する動作モードとなっている場合に、前記機器選択テーブルを参照して、前記第１適正範囲を超える環境パラメータに対応する環境制御機器のうち消費エネルギーが最も低い環境制御機器を選択すること
を特徴とする請求項１乃至請求項６の何れか一項に記載の環境判断システム。
【請求項８】
前記環境制御機器ごとに、使用可能又は使用不可が設定可能な機器使用可否テーブルを備え、
前記判断手段は、前記機器選択テーブルを参照して最も優先度が高い環境パラメータについて前記環境制御機器の実施効果度が最も高い環境制御機器を選択するときに、前記機器使用可否テーブルに使用可能と格納された環境制御機器のうちから何れかの環境制御機器を選択することを特徴とする請求項１乃至請求項７の何れか一項に記載の環境判断システム。
【請求項９】
前記計測手段は、室内の環境パラメータ及び屋外の環境パラメータを計測し、
前記判断手段は、前記機器選択テーブルを参照して選択した環境制御機器が外気を室内に導入する環境制御機器を含む場合、前記計測手段により計測された室内の環境パラメータと屋外の環境パラメータを比較して、他の環境制御機器も選択することを特徴とする請求項１乃至請求項８の何れか一項に記載の環境判断システム。
【請求項１０】
前記計測手段により計測された環境パラメータを記憶するデータ記憶手段を備えることを特徴とする請求項１乃至請求項９の何れか一項に記載の環境判断システム。
【請求項１１】
複数の環境制御機器と、少なくとも温度、湿度、空気質の何れか２つ以上の環境パラメータを計測する計測手段とを有する環境制御システムにおいて、何れかの前記環境制御機器を選択する環境判断プログラムであって、
コンピュータに、
前記環境パラメータごとに設定され、少なくとも上限値を有する第１適正範囲を格納した閾値テーブルと、複数の環境パラメータ間の優先度合いを格納した優先度テーブルと、前記環境パラメータごとに設定され、前記環境制御機器と、前記環境制御機器ごとの実施効果度と、前記環境制御機器の制御方法との関係を格納した機器選択テーブルとを参照して、前記複数の環境制御機器のうち何れかの環境制御機器を選択する動作を実行させること
を特徴とする環境判断プログラム。
【請求項１２】
複数の環境制御機器、及び、少なくとも温度、湿度、空気質の何れか２つ以上の環境パラメータを計測する計測手段と接続された機器選択装置であって、
前記環境パラメータごとに設定され、少なくとも上限値を有する第１適正範囲を格納した閾値テーブルと、
複数の環境パラメータ間の優先度合いを格納した優先度テーブルと、
前記環境パラメータごとに設定され、前記環境制御機器と、前記環境制御機器ごとの実施効果度と、前記環境制御機器の制御方法との関係を格納した機器選択テーブルと、
前記閾値テーブル、前記優先度テーブル、及び、前記機器選択テーブルを参照して、前記複数の環境制御機器のうち何れかの環境制御機器を選択する判断手段と
を備えることを特徴とする機器選択装置。
【請求項１３】
複数の環境制御機器、及び、少なくとも温度、湿度、空気質の何れか２つ以上の環境パラメータを計測する計測手段と接続された機器選択装置であって、
前記環境パラメータごとに設定され、少なくとも上限値を有する第１適正範囲を格納した閾値テーブルと、複数の環境パラメータ間の優先度合いを格納した優先度テーブルと、前記環境パラメータごとに設定され、前記環境制御機器と、前記環境制御機器ごとの実施効果度と、前記環境制御機器の制御方法との関係を格納した機器選択テーブルと、を参照して、前記複数の環境制御機器のうち何れかの環境制御機器を選択する判断手段を備えることを特徴とする機器選択装置。
【発明の詳細な説明】
【技術分野】
【０００１】
本発明は、環境判断システム、環境判断プログラム、及び、機器選択装置に関する。
【背景技術】
【０００２】
空調を制御する技術としては、下記の特許文献１が知られている。
【０００３】
この特許文献１には、複数の凝縮器、送風機、温度や湿度センサを有する空気調和システムにおいて、センサの検出値に基づいて、温度湿度が適正範囲であるか否か判定し、機器を制御することが記載されている。
【先行技術文献】
【特許文献】
【０００４】
【特許文献１】特開２００７−０７８２６１号公報
【発明の概要】
【発明が解決しようとする課題】
【０００５】
空気質を示す環境パラメータとしては、ＣＯ２、埃、浮遊粒子状物質（ＰＭ１０）、微小粒子状物質（ＰＭ２．５）、総揮発性有機化合物（ＴＶＯＣ）等がある。しかし、複数の環境パラメータを適切な範囲内に制御する方法は、各種の環境制御機器をどのように選択して動作させるかをユーザが適切に決めることは難しい。
【０００６】
そこで、本発明は、上述した実情に鑑みて提案されたものであり、環境パラメータを自動で計測し、計測された環境パラメータに対して適切な環境制御機器を選択できる環境判断システム、環境判断プログラム、及び、機器選択装置を提供することを目的とする。
【課題を解決するための手段】
【０００７】
本発明の第１の態様に係る環境判断システムは、複数の環境制御機器と、少なくとも温度、湿度、空気質の何れか２つ以上の環境パラメータを計測する計測手段と、前記環境パラメータごとに設定され、少なくとも上限値を有する第１適正範囲を格納した閾値テーブルと、複数の環境パラメータ間の優先度合いを格納した優先度テーブルと、前記環境パラメータごとに設定され、前記環境制御機器と、前記環境制御機器ごとの実施効果度と、前記環境制御機器の制御方法との関係を格納した機器選択テーブルと、前記閾値テーブル、前記優先度テーブル、及び、前記機器選択テーブルを参照して、前記複数の環境制御機器のうち何れかの環境制御機器を選択する判断手段とを備えることを特徴とする。
【０００８】
本発明の第２の態様に係る環境判断システムは、上記第１の態様の環境判断システムであって、前記判断手段は、前記計測手段により計測された環境パラメータと前記閾値テーブルとを対比して、前記第１適正範囲を超える環境パラメータを判断し、前記優先度テーブルを参照して、前記第１適正範囲を超える環境パラメータの優先度を判断し、前記機器選択テーブルを参照して、最も優先度が高い環境パラメータについて前記環境制御機器の実施効果度が最も高い環境制御機器を選択することを特徴とする。
【０００９】
本発明の第３の態様に係る環境判断システムは、上記第２の態様の環境判断システムであって、前記機器選択テーブルを参照して、前記判断手段により選択された環境制御機器を提示する提示手段を備えることを特徴とする。
【００１０】
本発明の第４の態様に係る環境判断システムは、上記第２の態様の環境判断システムであって、前記機器選択テーブルを参照して、前記判断手段により選択された環境制御機器を、当該環境制御機器の制御方法に従って動作させる制御手段を備えることを特徴とする。
【００１１】
本発明の第５の態様に係る環境判断システムは、上記第２乃至第４の何れかの態様の環境判断システムであって、前記閾値テーブルは、前記環境パラメータごとに、前記第１適正範囲を含んで、当該第１適正範囲を超える第２適正範囲を格納しており、前記判断手段は、前記閾値テーブルを参照して、前記第２適正範囲を超える環境パラメータを判断し、前記優先度テーブルを参照して、前記第２適正範囲を超える環境パラメータの優先度を判断し、前記機器選択テーブルを参照して、最も優先度が高い環境パラメータについて、前記環境制御機器の実施効果度が高い複数の環境制御機器を選択することを特徴とする。
【００１２】
本発明の第６の態様に係る環境判断システムは、上記第２の態様の環境判断システムであって、前記閾値テーブルは、前記環境パラメータごとに、前記第１適正範囲を含んで、当該第１適正範囲を超える第２適正範囲を格納しており、前記機器選択テーブルは、前記環境制御機器と、前記環境制御機器の実施効果度と、前記環境制御機器の制御方法と、前記環境制御機器の消費エネルギーの関係を格納しており、前記判断手段は、前記閾値テーブルを参照して、前記第２適正範囲を超える環境パラメータを判断し、前記計測手段により計測した環境パラメータが前記第２適正範囲を超えない場合に、前記機器選択テーブルを参照して前記消費エネルギーが小さい環境制御機器を優先的に選択することを特徴とする。
【００１３】
本発明の第７の態様に係る環境判断システムは、上記第１乃至第６の何れかの態様の環境判断システムであって、前記判断手段は、前記計測手段により計測された環境パラメータと前記閾値テーブルとを対比して、前記第１適正範囲を超える環境パラメータを判断し、前記優先度テーブルを参照して、前記第１適正範囲を超える環境パラメータの優先度を判断し、前記機器選択テーブルを参照して、最も優先度が高い環境パラメータについて前記環境制御機器の実施効果度が最も高い環境制御機器を選択し、前記環境制御機器の運転電力を抑制する動作モードとなっている場合に、前記機器選択テーブルを参照して、前記第１適正範囲を超える環境パラメータに対応する環境制御機器のうち消費エネルギーが最も低い環境制御機器を選択することを特徴とする。
【００１４】
本発明の第８の態様に係る環境判断システムは、上記第１乃至第７の何れかの態様の環境判断システムであって、前記環境制御機器ごとに、使用可能又は使用不可が設定可能な機器使用可否テーブルを備え、前記判断手段は、前記機器選択テーブルを参照して最も優先度が高い環境パラメータについて前記環境制御機器の実施効果度が最も高い環境制御機器を選択するときに、前記機器使用可否テーブルに使用可能と格納された環境制御機器のうちから何れかの環境制御機器を選択することを特徴とする。
【００１５】
本発明の第９の態様に係る環境判断システムは、上記第１乃至第８の何れかの態様の環境判断システムであって、前記計測手段は、室内の環境パラメータ及び屋外の環境パラメータを計測し、前記判断手段は、前記機器選択テーブルを参照して選択した環境制御機器が外気を室内に導入する環境制御機器を含む場合、前記計測手段により計測された室内の環境パラメータと屋外の環境パラメータを比較して、他の環境制御機器も選択することを特徴とする。
【００１６】
本発明の第１０の態様に係る環境判断システムは、上記第１乃至第９の何れかの態様の環境判断システムであって、前記計測手段により計測された環境パラメータを記憶するデータ記憶手段を備えることを特徴とする。
【００１７】
本発明の第１１の態様に係る環境判断プログラムは、複数の環境制御機器と、少なくとも温度、湿度、空気質の何れか２つ以上の環境パラメータを計測する計測手段とを有する環境制御システムにおいて、何れかの前記環境制御機器を選択する環境判断プログラムであって、コンピュータに、前記環境パラメータごとに設定され、少なくとも上限値を有する第１適正範囲を格納した閾値テーブルと、複数の環境パラメータ間の優先度合いを格納した優先度テーブルと、前記環境パラメータごとに設定され、前記環境制御機器と、前記環境制御機器ごとの実施効果度と、前記環境制御機器の制御方法との関係を格納した機器選択テーブルとを参照して、前記複数の環境制御機器のうち何れかの環境制御機器を選択する動作を実行させることを特徴とする。
【００１８】
本発明の第１２の態様に係る環境選択装置は、複数の環境制御機器、及び、少なくとも温度、湿度、空気質の何れか２つ以上の環境パラメータを計測する計測手段と接続された機器選択装置であって、前記環境パラメータごとに設定され、少なくとも上限値を有する第１適正範囲を格納した閾値テーブルと、複数の環境パラメータ間の優先度合いを格納した優先度テーブルと、前記環境パラメータごとに設定され、前記環境制御機器と、前記環境制御機器ごとの実施効果度と、前記環境制御機器の制御方法との関係を格納した機器選択テーブルと、前記閾値テーブル、前記優先度テーブル、及び、前記機器選択テーブルを参照して、前記複数の環境制御機器のうち何れかの環境制御機器を選択する判断手段とを備えることを特徴とする。
【００１９】
本発明の第１３の態様に係る環境選択装置は、複数の環境制御機器、及び、少なくとも温度、湿度、空気質の何れか２つ以上の環境パラメータを計測する計測手段と接続された機器選択装置であって、前記環境パラメータごとに設定され、少なくとも上限値を有する第１適正範囲を格納した閾値テーブルと、複数の環境パラメータ間の優先度合いを格納した優先度テーブルと、前記環境パラメータごとに設定され、前記環境制御機器と、前記環境制御機器ごとの実施効果度と、前記環境制御機器の制御方法との関係を格納した機器選択テーブルと、を参照して、前記複数の環境制御機器のうち何れかの環境制御機器を選択する判断手段を備えることを特徴とする。
【発明の効果】
【００２０】
本発明によれば、環境パラメータを自動で計測し、閾値テーブル、優先度テーブル、及び、機器選択テーブルを参照して、複数の環境制御機器のうち何れかの環境制御機器を選択するので、計測された環境パラメータに対して適切な環境制御機器を選択できる。
【図面の簡単な説明】
【００２１】
【図１】本発明の実施形態として示す環境判断システムの構成を示すブロック図である。
【図２】本発明の実施形態として示す環境判断システムにおける環境制御機器等の配置を示すブロック図である。
【図３】本発明の実施形態として示す環境判断システムにおける閾値テーブルの構成を示す図である。
【図４】本発明の実施形態として示す環境判断システムにおける優先度テーブルの構成を示す図である。
【図５】本発明の実施形態として示す環境判断システムにおける機器選択テーブルの構成を示す図である。
【図６】本発明の実施形態として示す環境判断システムにおいて、環境制御機器を選択して提示する処理手順を示すフローチャートである。
【図７】本発明の実施形態として示す環境判断システムにおいて選択した環境判断システムを提示する表示画面の一例を示す図である。
【図８】本発明の実施形態として示す環境判断システムの他の構成を示すブロック図である。
【図９】本発明の実施形態として示す環境判断システムにおいて、環境制御機器を選択して動作させる処理手順を示すフローチャートである。
【図１０】本発明の実施形態として示す環境判断システムにおいて、環境制御機器を選択して動作させる他の処理手順を示すフローチャートである。
【図１１】本発明の実施形態として示す環境判断システムにおいて、環境制御機器として換気扇を選択して動作させる他の処理手順を示すフローチャートである。
【図１２】本発明の実施形態として示す環境判断システムにおいて、換気扇が選択された場合に他の環境制御機器を動作させる処理手順を示すフローチャートである。
【図１３】本発明の実施形態として示す環境判断システムの他の構成を示すブロック図である。
【図１４】本発明の実施形態として示す環境判断システムにおける機器使用可否テーブルの構成を示す図である。
【図１５】本発明の実施形態として示す環境判断システムにおけるＨＥＭＳコントローラの構成を示すブロック図である。
【図１６】本発明の実施形態として示す環境判断システムにおいて、ＨＥＭＳコントローラを備えた構成を示すブロック図である。
【図１７】本発明の実施形態として示す環境判断システムにおいて、環境制御機器を選択して動作させる他の処理手順を示すフローチャートである。
【図１８】本発明の実施形態として示す環境判断システムにおいて、環境制御機器を選択して動作させる他の処理手順を示すフローチャートである。
【発明を実施するための形態】
【００２２】
以下、本発明の実施の形態について図面を参照して説明する。
【００２３】
本発明の一実施形態として示す環境判断システムは、複数の環境制御機器のうち、何れか又は複数の環境制御機器を選択するものである。環境判断システムは、選択した環境制御機器をユーザ又は自動によって動作させることによって、室内環境を調整可能である。
【００２４】
環境判断システムは、例えば図１に示すように構成されている。この環境判断システムは、環境制御部１、室内環境パラメータ計測用センサ２、屋外環境パラメータ計測用センサ３、及び、表示部４を含む。
【００２５】
この環境判断システムは、例えば図２に示すように各部を配置させて構成される。環境制御部１、室内環境パラメータ計測用センサ２、及び表示部４は、室内１００の任意の位置に設置される。屋外環境パラメータ計測用センサ３は、室内１００の外に設けられている。
【００２６】
室内１００には、ユーザの操作又は環境制御部１の制御に従って動作する複数の環境制御機器が設置されている。この環境制御機器としては、室内ドア５１、空気清浄機５２、床暖房５３、加湿器５４、除湿器５５、換気扇５６、エアコン（冷暖房装置）５７、及び、窓５８が含まれる。
【００２７】
室内環境パラメータ計測用センサ２は、室内に設置された各種のセンサからなる。室内環境パラメータ計測用センサ２は、室内おいて、少なくとも温度、湿度、空気質の何れか２つ以上の環境パラメータを計測する計測手段として機能する。この空気質は、ＣＯ２、ＶＯＣ（揮発性有機化合物（volatile organic compounds））、ＰＭ２．５を含む。なお、空気質は、他のパラメータを含んでいてもよいことは勿論である。したがって、室内環境パラメータ計測用センサ２は、センサＩ１〜センサＩｍといったように複数のセンサによって構成される。
【００２８】
屋外環境パラメータ計測用センサ３は、屋外に設置された各種のセンサからなる。屋外環境パラメータ計測用センサ３は、屋外において、少なくとも温度、湿度、空気質の何れか２つ以上の環境パラメータを計測する計測手段として機能する。したがって、屋外環境パラメータ計測用センサ３は、センサＯ１〜センサＯｎといったように複数のセンサによって構成される。
【００２９】
具体的には、室内環境パラメータ計測用センサ２及び屋外環境パラメータ計測用センサ３は、温度センサ、湿度センサ、ＣＯ２センサ、ＶＯＣセンサ、ＰＭ２．５センサ等の環境パラメータを計測する。
【００３０】
表示部４は、室内に設定され、ユーザに各種の情報を提示する提示手段として機能する。表示部４は、環境制御部１選択された環境制御機器と当該環境制御機器の制御方法とを提示する。
【００３１】
環境制御部１は、計測部１１、計測データ記憶部（データ記憶手段）１２、判定部１３、閾値テーブル１４、優先度付与部１５、優先度テーブル１６、機器制御部１７、及び、機器選択テーブル１８を有する。この環境制御部１において、判定部１３、優先度付与部１５、及び、機器制御部１７が、閾値テーブル１４、優先度テーブル１６、及び、機器選択テーブル１８を参照して、複数の環境制御機器のうち何れかの環境制御機器を選択する判断手段として機能する。
【００３２】
室内環境パラメータ計測用センサ２及び屋外環境パラメータ計測用センサ３は、計測部１１に接続されている。計測部１１は、室内環境パラメータ計測用センサ２及び屋外環境パラメータ計測用センサ３によってディジタル化された環境パラメータを計測し、計測データ記憶部１２に記憶させる。なお、計測部１１は、センサとしての屋外環境パラメータ計測用センサ３に代えて、情報通信サーバから、屋外の環境パラメータを取得してもよい。
【００３３】
閾値テーブル１４は、少なくとも上限値を有する第１適正範囲を格納している。この第１適正範囲は、環境パラメータごとに設定されている。この環境パラメータごとの第１適正範囲は、室内環境において各環境パラメータの目標値である。
【００３４】
また、閾値テーブル１４には、環境パラメータごとに、第１適正範囲を含んで、当該第１適正範囲を超える第２適正範囲を格納していることが望ましい。この第２適正範囲は、第１適正範囲の上限値を超える上限値を少なくとも有する。この第２適正範囲を規定する上限値は、各環境パラメータへの改善対策が至急必要であることを示す値である。
【００３５】
具体的には、閾値テーブル１４は、図３に示すように構成される。閾値テーブル１４は、環境パラメータごとに、第２下限値、第１下限値、第１上限値、第２上限値を含む。これらの値の関係は、第２下限値＜第１下限値＜第１上限値＜第２上限値と設定している。第１適正範囲は、第１の閾値としての第１上限値と第１下限値とにより規定される。第２適正範囲は、第２の閾値としての第２上限値と第２下限値とにより規定される。なお、環境パラメータは、図３に示した以外のものが含まれていてもよいのは勿論である。
【００３６】
判定部１３は、計測データ記憶部１２に記憶された環境パラメータを取り出し、閾値テーブル１４を参照して、環境パラメータと閾値テーブル１４とを対比する。これにより、判定部１３は、計測された環境パラメータが第１適正範囲に含まれるか否かを判定する。図３の閾値テーブル１４において、判定部１３は、環境パラメータが第１上限値より小さいかを判定する。このとき、判定部１３は、計測データ記憶部１２に記憶されている環境パラメータごとに、閾値テーブル１４に格納されている第１適正範囲（第１上限値）を読み出して、第１適正範囲（第１上限値）を超える環境パラメータの判定を行う。この判定部１３による判定結果は、優先度付与部１５に供給される。
【００３７】
優先度テーブル１６は、複数の環境パラメータ間の優先度合いを格納している。この優先度テーブル１６は、例えば図４に示すように構成される。この優先度テーブル１６は、優先度としての１位〜５位のそれぞれに対応する優先度値の１〜５が格納されている。さらに、優先度及び優先度値に対応して、環境パラメータが格納されている。この優先度テーブル１６によれば、最優先の環境パラメータがＰＭ２．５に設定されている。
【００３８】
優先度付与部１５は、優先度テーブル１６を参照して、第１適正範囲（第１上限値）を超える環境パラメータの優先度を判断する。第１適正範囲（第１上限値）外と判定された環境パラメータの計測値を、優先度テーブルを参照し優先度を付与する。例えば、ＰＭ２．５とＣＯ２とが第１上限値を超えた場合、優先度付与部１５は、ＰＭ２．５に優先度としての「１」を付与し、ＣＯ２に優先度としての「３」を付与する。
【００３９】
機器選択テーブル１８は、環境パラメータごとに設定され、環境制御機器と、環境制御機器ごとの実施効果度と、環境制御機器の制御方法との関係を格納して構成されている。機器選択テーブル１８は、例えば図５に示すように構成される。例えば環境パラメータとしてのＰＭ２．５には、環境制御機器としてのエアコン５７、空気清浄機５２、及び、換気扇５６が対応づけられている。さらに、ＰＭ２．５及びエアコン５７に対応して、実施効果度としての「２」及び制御方法としての「送風」が対応づけられている。さらに、ＰＭ２．５及び空気清浄機５２に対応して、実施効果度としての「１」及び制御方法としての「運転」が対応づけられている。さらに、ＰＭ２．５及び換気扇５６に対応して、実施効果度としての「３」及び制御方法としての「運転」が対応づけられている。なお、実施効果度は、数値が小さいほど、効果が高いことを表している。さらに、機器選択テーブル１８は、各環境パラメータ、環境制御機器、実施効果度、制御方法に対応して、消費エネルギーを格納していてもよい。
【００４０】
機器制御部１７は、第１適正範囲（第１上限値）を超える環境パラメータを改善するような環境制御機器を選択する。優先度付与部１５は、機器選択テーブル１８を参照して、最も優先度が高い環境パラメータについて、環境制御機器の実施効果度が最も高い環境制御機器を選択する。例えば、ＰＭ２．５が第１上限値を超え、優先度が最も高い場合、機器制御部１７は、最も実施効果度が高い空気清浄機５２を選択する。
【００４１】
機器制御部１７は、選択した環境制御機器を表示部４に表示させる。これにより、機器制御部１７は、現状の環境を改善するのに有効な環境制御機器をユーザに提示できる。
【００４２】
以上のように、環境制御部１は、環境パラメータによって何れかの環境制御機器を選択する機器選択装置として機能する。
【００４３】
また、環境制御部１は、計測部１１、計測データ記憶部１２、判定部１３、優先度付与部１５、機器制御部１７のみを備えたものであってもよい。この構成の場合、環境制御部１は、例えば外部のサーバから閾値テーブル１４、優先度テーブル１６、機器選択テーブル１８をダウンロードし、又は、外部のサーバに要求を出力して所望のテーブルデータを取得する。このような構成であっても、環境制御部１は、上述したように環境制御機器を選択できる。
【００４４】
このような環境判断システムは、例えば図６に示すような処理手順によって動作する。
【００４５】
先ずステップＳ１において、計測部１１は、室内環境パラメータ計測用センサ２及び屋外環境パラメータ計測用センサ３から信号を入力する。計測部１１は、入力した信号をディジタル化し、計測データ記憶部１２に記憶させる。
【００４６】
次のステップＳ２において、判定部１３は、閾値テーブル１４を参照して、室内環境パラメータ計測用センサ２及び屋外環境パラメータ計測用センサ３から取得した環境パラメータを判定する。このとき、判定部１３は、少なくとも、環境パラメータが第１上限値を超えているか否かを判定する。判定部１３は、環境パラメータが第１上限値を超えた場合には、当該環境パラメータが適正範囲外であると判定し、ステップＳ３に処理を進める。
【００４７】
次のステップＳ３において、優先度付与部１５は、ステップＳ２にて適正範囲外と判定された環境パラメータに、優先度テーブル１６を参照して優先度を付与する。
【００４８】
次のステップＳ４において、機器制御部１７は、ステップＳ３にて付与された優先度が最も高い環境パラメータについて、機器選択テーブル１８を参照して実施効果度を読み出す。機器制御部１７は、最も実施効果度が高い環境制御機器を選択する。
【００４９】
次のステップＳ５において、機器制御部１７は、ステップＳ４にて選択された環境制御機器を表示部４によって提示させる。このとき、機器制御部１７は、適正範囲外となった環境パラメータ及び環境制御機器の操作方法を提示することが望ましい。
【００５０】
次のステップＳ６において、環境制御部１は、ユーザの操作によってシステム動作を終了する入力を受け付けたか否かを判定する。システム動作の終了を受け付けた場合には処理を終了し、そうでない場合にはステップＳ１に処理を進める。
【００５１】
この環境判断システムにおいて、環境パラメータに応じて環境制御機器を選択して提示する具体的な実施例を示す。
【００５２】
この実施例において、室内の各環境パラメータは次に示す範囲の値とする。ＰＭ２．５、ＴＶＯＣ、温度は適正範囲内にあり、ＣＯ２と湿度が適正範囲外となっている。
【００５３】
Ｄｐ（室内ＰＭ２．５）＜ＳＰＵ１（第１上限値）
Ｄｖ（室内ＴＶＯＣ）＜ＳＶＵ１（第１上限値）
ＳＣＵ１（第１上限値）＜Ｄｃ（室内ＣＯ２）＜ＳＣＵ２（第２上限値）
ＳＨＬ２（第２下限値）＜Ｄｈ（室内湿度）＜ＳＨＬ１（第１下限値）
ＳＴＬ１（第１下限値）＜Ｄｔ（室内温度）＜ＳＴＵ１（第１上限値）
ステップＳ１によって、室内環境パラメータ計測用センサ２によって取得された信号は、計測部１１によってディジタル化されて計測データ記憶部１２に記憶される。これにより、計測データ記憶部１２には、ＰＭ２．５、ＴＶＯＣ、ＣＯ２、湿度、温度の室内の各デジタル値として、Ｄｐ、Ｄｖ、Ｄｃ、Ｄｈ、Ｄｔが保存される。
【００５４】
次のステップＳ２において、判定部１３は、計測データ記憶部１２に環境パラメータと閾値テーブル１４とを対比すると、上記のように、ＣＯ２と湿度が適正範囲外と判定される。閾値テーブル１４において、第１下限値、第１上限値が第１の閾値であり、第２下限値、第２上限値が第２の閾値である。なお、第２上限値が第２適正範囲に相当する。
【００５５】
次のステップＳ３において、優先度付与部１５は、優先度テーブルを参照し、適正範囲外となったＣＯ２と湿度に優先度を付与する。優先度付与部１５はＣＯ２に優先度値の「３」を付与し、湿度に優先度値の「４」を付与する。これにより、適正範囲外となったＣＯ２と湿度のうち、優先度が最も高い環境パラメータはＣＯ２となる。
【００５６】
次のステップＳ４において、機器制御部１７は、機器選択テーブル１８から優先度が最も高いＣＯ２に対応した実施効果度、制御方法を読み込む。これにより、機器制御部１７は、ＣＯ２に対応した実施効果度が最も高い環境制御機器が換気扇５６であり、換気扇５６を選択する。
【００５７】
次のステップＳ５において、機器制御部１７は、図７に示したように表示部４によって表示を行わせる。このとき、機器制御部１７は、図７に示すように、表示部４の表示画面４１にメッセージを表示させる。具体的には、室内環境を適正範囲内へ改善させるために、換気扇５６を動かすことのアドバイスとして「換気扇を運転してください。」というメッセージ４３を表示させる。また、機器制御部１７は、表示画面４１に、適正範囲外となった環境パラメータを通知するメッセージ４２を表示してもよい。具体的には、機器制御部１７は、「ＣＯ２が１５００ｐｐｍと多くなっています。」という環境パラメータのメッセージ４２を表示させる。さらに、機器制御部１７は、表示画面４１に、選択した環境制御機器の操作方法を提示してもよい。さらに、機器制御部１７は、機器選択テーブル１８に格納された消費エネルギーを表示させてもよい。
【００５８】
次のステップＳ６において、環境制御部１は、システム動作の終了を判定する。
【００５９】
環境制御部１は、ステップＳ１乃至ステップＳ６の処理を繰り返し、ＣＯ２の濃度が適正範囲内になると、次に、適正範囲外と判定された環境パラメータで優先度が最も高いものが湿度となる。このため、機器選択テーブル１８を参照し、実施効果度が最も高い加湿器５４を選択し、表示部４にアドバイス表示等を提示する。次に、環境制御部１はシステム動作の終了入力があるかを判断し、システム動作の終了入力が無ければ、ステップＳ１に処理を戻す。このように、ステップＳ１乃至ステップＳ６の処理を繰り返すことにより、室内湿度が適正範囲内に調整される。
【００６０】
以上のように、環境判断システムは、複数の環境制御機器と、少なくとも温度、湿度、空気質の何れか２つ以上の環境パラメータを計測する計測手段１１とを有する。さらに、環境判断システムは、閾値テーブル１４と、優先度テーブル１６と、機器選択テーブル１８とを有する。閾値テーブル１４は、環境パラメータごとに設定され、少なくとも上限値を有する第１適正範囲を格納している。優先度テーブル１６は、複数の環境パラメータ間の優先度合いを格納している。機器選択テーブル１８は、環境パラメータごとに設定され、環境制御機器と、環境制御機器ごとの実施効果度と、環境制御機器の制御方法との関係を格納している。この環境判断システムにおいて、機器制御部１７（判断手段）は、閾値テーブル１４、優先度テーブル１６、及び、機器選択テーブル１８を参照して、複数の環境制御機器のうち何れかの環境制御機器を選択する。
【００６１】
したがって、環境判断システムは、表示部４に実施効果度の高い環境制御機器を提示できる。これにより、ユーザが適切な環境制御機器の操作を簡単に行い、効率よく環境パラメータを適正範囲内に制御することができる。
【００６２】
また、この環境判断システムによれば、環境制御部１が各環境制御機器と通信接続できなくても、操作すべき環境制御機器を提示して、ユーザに動作を促すことができる。さらに、操作すべき環境制御機器及びその制御方法を提示することにより、ユーザが表示部４の表示画面４１を参照して環境制御機器を適切に動作させ、環境を改善できる。
【００６３】
つぎに、上述した環境判断システムにおいて、自動的に環境制御機器を動作させることについて説明する。なお、この実施形態においては、環境制御部１が選択した環境制御機器を表示させなくてもよい。
【００６４】
この環境判断システムにおける環境制御部１には、図８に示すように、環境制御機器Ａ、Ｂ、・・・、Ｚといった複数の環境制御機器５が機器制御部１７に接続されている。機器制御部１７は、機器選択テーブル１８を参照して、選択された環境制御機器５を、当該環境制御機器５の制御方法に従って動作させる（制御手段）。このとき、機器制御部１７は、機器選択テーブル１８から制御方法を読み込む。
【００６５】
このような環境判断システムは、図９に示すように、上述したステップＳ１乃至ステップＳ４の処理を行って、実施効果度が最も高い環境制御機器５を選択して、ステップＳ１１に移行する。ステップＳ１１において、機器制御部１７は、機器選択テーブル１８に格納された環境制御機器５の制御方法にしたがって、ステップＳ４にて選択した環境制御機器５を動作させる。これにより、環境制御部１は、適正範囲外を超えた環境パラメータを改善するよう自動的に環境制御機器５を動作させる。
【００６６】
この環境判断システムにおいて、環境パラメータに応じて環境制御機器５を動作させる具体的な実施例を示す。
【００６７】
この実施例において、室内の各環境パラメータは次に示す範囲の値とする。ＰＭ２．５、ＴＶＯＣ、温度は適正範囲内にあり、ＣＯ２と湿度が適正範囲外となっている。
【００６８】
Ｄｐ（室内ＰＭ２．５）＜ＳＰＵ１（第１上限値）
Ｄｖ（室内ＴＶＯＣ）＜ＳＶＵ１（第１上限値）
ＳＣＵ１（第１上限値）＜Ｄｃ（室内ＣＯ２）＜ＳＣＵ２（第２上限値）
ＳＨＬ２（第２下限値）＜Ｄｈ（室内湿度）＜ＳＨＬ１（第１下限値）
ＳＴＬ１（第１下限値）＜Ｄｔ（室内温度）＜ＳＴＵ１（第１上限値）
上述した環境判断システムと同様に、ステップＳ１乃至ステップＳ４を行うことにより、機器制御部１７は、機器選択テーブル１８から優先度が最も高いＣＯ２に対応した実施効果度、制御方法を読み込む。これにより、機器制御部１７は、ＣＯ２に対応した実施効果度が最も高い環境制御機器５が換気扇５６であり、換気扇５６を選択する。
【００６９】
次のステップＳ１１において、機器制御部１７は、ステップＳ４にて選択された換気扇５６を、機器選択テーブル１８に格納された制御方法に従って動作させる。
【００７０】
次のステップＳ６において、環境制御部１は、システム動作の終了を判定する。
【００７１】
環境制御部１は、ステップＳ１乃至ステップＳ４、ステップＳ１１、ステップＳ６の処理を繰り返し、ＣＯ２の濃度が適正範囲内になると、次に適正範囲外と判定された環境パラメータで優先度が最も高いものが湿度となる。このため、機器選択テーブル１８を参照し、実施効果度が最も高い加湿器５４を選択し、加湿器５４を動作させる。次に、環境制御部１はシステム動作の終了入力があるかを判断し、システム動作の終了入力が無ければ、ステップＳ１に処理を戻す。このように、ステップＳ１乃至ステップＳ４、ステップＳ１１、ステップＳ６の処理を繰り返すことにより、室内湿度が適正範囲内に調整される。
【００７２】
この実施例のように、先ずＣＯ２の濃度を下げて換気扇５６を停止させてから、加湿器５４を動作させて加湿を行う。このため、せっかく加湿した水蒸気を換気扇５６により屋外へ排出することがなく、効率よく環境パラメータを適正範囲内に制御することができる。
【００７３】
以上のように、環境判断システムによれば、環境パラメータが適正範囲から外れた場合、ユーザに対して影響の大きいものに高い優先度を付けて優先度の高い環境パラメータを選択する。さらに、選択された環境パラメータを効率良く制御する環境制御機器を選択して環境制御機器５を動作させる。これにより、効率良く環境パラメータを適正範囲に制御することができる。
【００７４】
つぎに、この環境判断システムにおける他の実施例として、環境パラメータが第２上限値（第２の閾値）を超える場合の動作について説明する。この実施例において、室内ドア５１及び窓５８は、環境制御部１から供給された制御信号に従って自動的に開閉駆動できるものとする。
【００７５】
この実施例において、室内の各環境パラメータは次に示す範囲の値とする。ＰＭ２．５、ＴＶＯＣ、湿度、温度は適正範囲内にあり、ＣＯ２が第２上限値を超える適正範囲外となっている。
【００７６】
Ｄｐ（室内ＰＭ２．５）＜ＳＰＵ１（第１上限値）
Ｄｖ（室内ＴＶＯＣ）＜ＳＶＵ１（第１上限値）
ＳＣＵ２（第２上限値）＜Ｄｃ（室内ＣＯ２）
ＳＨＬ１（第１下限値）＜Ｄｈ（室内湿度）＜ＳＨＵ１（第１上限値）
ＳＴＬ１（第１下限値）＜Ｄｔ（室内温度）＜ＳＴＵ１（第１上限値）
このような室内環境において、環境制御部１は、図１０に示すような動作を行う。
【００７７】
先ず、ステップＳ１にて計測部１１が計測データ記憶部１２に各環境パラメータのディジタル値を保存する。
【００７８】
次のステップＳ２１において、判定部１３は、閾値テーブル１４を参照して、環境パラメータを第１の閾値（第１上限値、第１下限値）と比較する。判定部１３は、第１下限値以下又は第１上限値以上の環境パラメータがある場合には、ステップＳ２２に処理を進める。この判定により、判定部１３は、室内ＣＯ２が適正範囲外であると判定できる。
【００７９】
次のステップＳ２２において、判定部１３は、閾値テーブル１４を参照して、環境パラメータを第２の閾値（第２上限値、第２下限値）と比較する。判定部１３は、第２下限値以下又は第２上限値以上の環境パラメータがある場合にはステップＳ２６に処理を進め、ない場合にはステップＳ２３に処理を進める。この判定により、判定部１３は、室内ＣＯ２が第２の閾値の適正範囲外であると判定できる。
【００８０】
ステップＳ２６において、優先度付与部１５は、優先度テーブル１６を参照して、ＣＯ２に優先度値としての「３」を付与する。この実施例において、適正範囲外となった環境パラメータはＣＯ２のみであるため、優先度が最も高いものはＣＯ２となる。
【００８１】
次のステップＳ２７において、機器制御部１７は、機器選択テーブル１８から優先度が最も高いＣＯ２に対応した実施効果度、制御方法を読み込む。ＣＯ２の欄において実施効果度が最も高い環境制御機器５は換気扇５６であり、次に実施効果度が高い環境制御機器５は窓５８、室内ドア５１となる。本実施例では、ＣＯ２の濃度が第２の閾値を超えるため、実施効果度が最も高い換気扇５６だけでなく、実施効果度が下位となる窓５８、室内ドア５１も選択する。
【００８２】
次のステップＳ２８において、機器制御部１７は、ステップＳ２７にて選択された換気扇５６、窓５８、室内ドア５１に制御信号を供給して動作させる。
【００８３】
次のステップＳ６において、環境制御部１は、システム動作の終了を判定し、システム動作を終了しない場合にはステップＳ１に処理を戻す。これにより、環境判断システムは、システム動作を終了しないかぎりは、ＣＯ２の濃度が適正範囲内になるまで処理を継続する。
【００８４】
このように、環境制御部１は、環境パラメータが第２の閾値を超えるほど適正範囲から大きく外れている時には、複数の環境制御機器を同時に動作させることができる。これにより、環境制御部１は、急速に環境パラメータを適正範囲内に制御することができる。
【００８５】
なお、ステップＳ２３乃至ステップＳ２５は、上述した図９の実施例のステップＳ３，ステップＳ４、ステップＳ１１と同様の処理を行う。先ず、優先度付与部１５は、優先度テーブル１６を参照してＣＯ２に優先度としての「３」を付与する。次に機器制御部１７は、機器選択テーブル１８から優先度が最も高いＣＯ２に対応した実施効果度、制御方法を読み込む。次に機器制御部１７は、ＣＯ２に対応した実施効果度が最も高い環境制御機器が換気扇５６であり、換気扇５６を選択する。次に機器制御部１７は、選択した単一の環境制御機器５としての換気扇５６を動作させる。
【００８６】
つぎに、他の実施例として、ＣＯ２が適正範囲外であり、環境制御機器５として換気扇５６が選択された場合の他の動作について説明する。
【００８７】
この実施例において、室内の各環境パラメータは次に示す範囲の値とする。ＰＭ２．５、ＴＶＯＣ、湿度、温度は適正範囲内にあり、ＣＯ２が適正範囲外となっている。
【００８８】
Ｄｐ（室内ＰＭ２．５）＜ＳＰＵ１（第１上限値）
Ｄｖ（室内ＴＶＯＣ）＜ＳＶＵ１（第１上限値）
ＳＣＵ１（第１上限値）＜Ｄｃ（室内ＣＯ２）＜ＳＣＵ２（第２上限値）
ＳＨＬ１（第１下限値）＜Ｄｈ（室内湿度）＜ＳＨＵ１（第１上限値）
ＳＴＬ１（第１下限値）＜Ｄｔ（室内温度）＜ＳＴＵ１（第１上限値）
この実施例における環境判断システムの動作は、図１１に示すようになる。
【００８９】
先ずステップＳ１’において、計測部１１は、室内環境パラメータ計測用センサ２のみならず、屋外環境パラメータ計測用センサ３からも信号を入力する。これにより、計測部１１は、ＰＭ２．５、ＴＶＯＣ、ＣＯ２、湿度、温度のそれぞれについて、室内の環境パラメータＤｐ、Ｄｖ、Ｄｃ、Ｄｈ、Ｄｔ、屋外の環境パラメータｄｐ、ｄｖ、ｄｃ、ｄｈ、ｄｔを計測データ記憶部１２に記憶する。
【００９０】
次のステップＳ２において、判定部１３は、閾値テーブル１４を参照すると、第１上限値を超えるＣＯ２の濃度が適正範囲外であると判定する。
【００９１】
次のステップＳ３において、優先度付与部１５は、優先度テーブル１６を参照して、ＣＯ２に優先度値としての「３」を付与する。したがって、優先度が最も高い環境パラメータはＣＯ２となる。
【００９２】
次のステップＳ４において、機器制御部１７は、機器選択テーブル１８から優先度が最も高いＣＯ２に対応した実施効果度、制御方法を読み込む。ＣＯ２に対応した実施効果度が最も高い環境制御機器５は換気扇５６であるため、機器制御部１７は、換気扇５６を選択する。
【００９３】
次のステップＳ３１において、機器制御部１７は、選択した環境制御機器５が換気扇５６であるため、処理をステップＳ３２の動作機器追加処理に進める。また、このステップＳ３１において換気扇５６の運転を開始してもよく、後述の他の環境制御機器５が選択されたときに換気扇５６の運転を開始してもよい。
【００９４】
このステップＳ３２の動作機器追加処理は、図１２に示すようになる。
【００９５】
先ずステップＳ４１において、機器制御部１７は、室内ＰＭ２．５（Ｄｐ）が屋外ＰＭ２．５（ｄｐ）よりも高いか否かを判定する。室内ＰＭ２．５が屋外ＰＭ２．５よりも高い場合にはステップＳ４４に処理を進め、そうでない場合にはステップＳ４２に処理を進める。
【００９６】
ステップＳ４２において、機器制御部１７は、屋外ＰＭ２．５が、第１上限値（ＳＰＵ１）よりも高いか否かを判定する。屋外ＰＭ２．５が第１上限値（ＳＰＵ１）より高い場合にはステップＳ４３に処理を進め、そうでない場合にはステップＳ４４に処理を進める。ステップＳ４３において、機器制御部１７は、空気清浄機５２を運転させるよう制御する。これにより、機器制御部１７は、屋外ＰＭ２．５が第１上限値よりも高い場合には、換気扇５６と共に空気清浄機５２を動作させる。一方、屋外ＰＭ２．５が第１上限値よりも高くない場合には何もしない。
【００９７】
ステップＳ４４において、機器制御部１７は、室内湿度（Ｄｈ）が屋外湿度（ｄｈ）よりも高いか否かを判定する。室内湿度が屋外湿度よりも高い場合にはステップＳ４７に処理を進め、そうでない場合には、ステップＳ４５に処理を進める。
【００９８】
ステップＳ４５において、機器制御部１７は、屋外湿度が第１下限値（ＳＨＬ１）よりも低いか否かを判定する。屋外湿度が第１下限値（ＳＨＬ１）よりも低い場合にはステップＳ４６に処理を進め、そうでない場合にはステップＳ４９に処理を進める。ステップＳ４６において、機器制御部１７は、加湿器５４を運転させるよう制御する。これにより、機器制御部１７は、屋外湿度が第１下限値よりも低い場合には、換気扇５６と共に加湿器５４を動作させる。一方、屋外湿度が第１下限値よりも低くない場合には何もしない。
【００９９】
ステップＳ４７において、機器制御部１７は、屋外湿度が第１上限値（ＳＨＵ１）よりも高いか否かを判定する。屋外湿度が第１上限値（ＳＨＵ１）よりも高い場合にはステップＳ４８に処理を進め、そうでない場合にはステップＳ４９に処理を進める。ステップＳ４８において、機器制御部１７は、除湿器５５を運転させるよう制御する。これにより、機器制御部１７は、屋外湿度が第１上限値よりも高い場合には、換気扇５６と共に除湿器５５を動作させる。一方、屋外湿度が第１上限値よりも高くない場合には何もしない。
【０１００】
ステップＳ４９において、機器制御部１７は、室内温度（Ｄｔ）が屋外温度（ｄｔ）よりも高いか否かを判定する。室内温度が屋外温度よりも高い場合にはステップＳ５０に処理を進め、そうでない場合には、ステップＳ５２に処理を進める。
【０１０１】
ステップＳ５０において、機器制御部１７は、屋外温度が第１上限値（ＳＴＵ１）よりも高いか否かを判定する。屋外温度が第１上限値（ＳＴＵ１）よりも高い場合にはステップＳ５１に処理を進め、そうでない場合には何もせずステップＳ６に処理を進める。ステップＳ５１において、機器制御部１７は、エアコン５７を冷房運転させるよう制御する。これにより、機器制御部１７は、屋外温度が第１上限値よりも高い場合には、換気扇５６と共に、エアコン５７を冷房運転させる。一方、室内温度が第１上限値よりも高くない場合には何もしない。
【０１０２】
ステップＳ５２において、機器制御部１７は、屋外温度が第１下限値（ＳＴＬ１）よりも低いか否かを判定する。屋外温度が第１下限値（ＳＴＵ１）よりも低い場合にはステップＳ５３に処理を進め、そうでない場合には何もせずにステップＳ６に処理を進める。ステップＳ５３において、機器制御部１７は、エアコン５７を暖房運転又は床暖房５３を運転させるよう制御する。これにより、機器制御部１７は、屋外温度が第１下限値よりも低い場合には、換気扇５６と共に、エアコン５７又は床暖房５３を動作させる。一方、屋外温度が第１下限値よりも低くない場合には何もしない。
【０１０３】
このような動作機器追加処理の後におけるステップＳ６において、環境制御部１は、システム動作の終了入力があるか否かを判断する。環境制御部１は、システム動作の終了入力が無ければステップＳ１に処理を戻す。これにより、ＣＯ２の濃度が適正範囲内になるまで処理を継続する。
【０１０４】
上述したように、環境判断システムによれば、選択した環境制御機器５に換気扇５６といった屋外の空気を取り入れる機器を含む場合に、室内と屋外の環境パラメータを比較して、室内の環境パラメータが適正範囲外へ変化する可能性を判断する。室内の環境パラメータが適正範囲外となる可能性がある場合には、換気扇５６のみならず他の環境制御機器５を同時に動作させる。これにより、外気を室内に導入することによって環境パラメータが適正範囲外に変化することを緩和することができる。
【０１０５】
つぎに、上述した環境判断システムにおいて、環境制御機器５の使用可否、省エネモード、デマンドレスポンスに応じて環境制御機器５を制御する動作について説明する。
【０１０６】
この環境制御部１は、図１３に示すように、上述した環境制御部１に加えて、機器使用可否テーブル１９を備える。さらに、環境制御部１は、省エネモード選択フラグ１７ａ、デマンドレスポンスフラグ１７ｂが参照可能となっている。
【０１０７】
機器使用可否テーブル１９は、図１４に示すように、環境制御機器５ごとに、使用可能又は使用不可を格納している。この機器使用可否テーブル１９は、例えば環境判断システムが導入されている環境によって設定可能である。一般的に、家庭ごとに設置されている環境制御機器５の種類が異なる。また、環境制御機器５が環境制御部１と通信接続可能かどうかは家庭ごとに異なる。さらに、環境制御機器５を自動的に制御したいかどうかというユーザの要望は家庭ごとに異なる。
【０１０８】
このため、機器使用可否テーブル１９には、家庭に設置されていて通信可能な環境制御機器５であって、自動的に制御可能な環境制御機器５を「可」として登録できる。一方、家庭に設置されていない、通信できない又は自動制御を禁止したい環境制御機器５を「不可」として登録する。図１４の機器使用可否テーブル１９は、例えば、床暖房５３が設置されていなく床暖房５３に対応して不可と設定されている。また、防犯のために窓５８、室内ドア５１を不可としている。
【０１０９】
省エネモード選択フラグ１７ａは、環境制御機器５の動作モードが通常モードか、当該通常モードよりも省電力で動作する省エネモードかを表す。省エネモード選択フラグ１７ａは、ユーザによる省エネモードを選択する入力によって値が変動する。省エネモードが選択されている場合、省エネモード選択フラグ１７ａの値はオンとなる。
【０１１０】
デマンドレスポンスフラグ１７ｂは、電力逼迫時に電力会社から送られてくる電力削減要求（デマンドレスポンス）に応じた値である。デマンドレスポンスが送信されている場合、デマンドレスポンスフラグ１７ｂはオンとなる。
【０１１１】
機器制御部１７は、機器選択テーブル１８を参照して最も優先度が高い環境パラメータについて環境制御機器５の実施効果度が最も高い環境制御機器５を選択するときに、機器使用可否テーブル１９を参照する。これにより、機器制御部１７は、機器使用テーブル１８に使用可能と格納された環境制御機器５のうちから何れかの環境制御機器５を選択できる。
【０１１２】
また、機器制御部１７は、省エネモード選択フラグ１７ａ及び／又はデマンドレスポンスフラグ１７ｂを参照して、環境制御機器の運転電力を抑制する動作モード（省エネモード）となっているかを判断できる。省エネモードの場合に、機器制御部１７は、機器選択テーブル１８を参照して、第１適正範囲を超える環境パラメータに対応する環境制御機器５のうち消費エネルギーが最も低い環境制御機器５を優先的に選択できる。
【０１１３】
これにより、環境制御部１は、機器使用可否テーブル１９、省エネモード選択フラグ１７ａ、デマンドレスポンスフラグ１７ｂに適合した環境制御機器５のみを提示し、又は、制御することができる。
【０１１４】
このような環境制御部１は、例えば図１５に示すようなＨＥＭＳコントローラ６によって構成可能である。このＨＥＭＳコントローラ６は、通信部６１、制御部６２、記憶部６３、及び、Ｉ／Ｏ制御部６４を含む。
【０１１５】
通信部６１は、家庭内ネットワークからルータ、インターネット等を介して接続された外部サーバー７と接続されている。外部サーバー７は、例えば電力会社から提供されたデマンドレスポンスを配信する。外部サーバー７から配信されたデマンドレスポンスは、通信部６１によって受信される。
【０１１６】
環境制御機器、センサ、環境制御部を組み込んだＨＥＭＳコントローラ６の室内および屋外における配置を図１６に示す。ＨＥＭＳコントローラ６には表示・入力器１０が備え付けられているため、ユーザからの省エネモード選択等の入力を受け付けることができる。また、ＨＥＭＳコントローラはインターネットに接続されているため、電力逼迫時における電力会社からのデマンドレスポンスを受け取ることができる。
【０１１７】
記憶部６３は、上述した環境制御部１における計測データ記憶部１２へ記録される環境パラメータ、閾値テーブル１４、優先度テーブル１６、機器選択テーブル１８、機器使用可否テーブル１９を記憶する。また、記憶部６３は、省エネモード選択フラグ１７ａやデマンドレスポンスフラグ１７ｂを記憶する。この記憶部６３に記憶された各種の情報は制御部６２によって読み込まれる。
【０１１８】
Ｉ／Ｏ制御部６４は、入力機器８、出力機器９と通信を行う。入力機器８は、上述の制御方法を入力して動作する環境制御機器５、表示データを入力する表示部４が挙げられる。出力機器９は、上述の信号を出力する室内環境パラメータ計測用センサ２や屋外環境パラメータ計測用センサ３が挙げられる。また、出力機器９としては、ユーザにより操作される操作パネルや各種の入力ボタン等が挙げられる。Ｉ／Ｏ制御部６４は、上述した環境制御部１における計測部１１や機器制御部１７における制御信号の出力機能を担う。
【０１１９】
このＨＥＭＳコントローラ６は、例えば図１６に示すように室内に配置される。ＨＥＭＳコントローラ６は、近傍に配置された表示・入力器１０に各種の情報を表示させる。また、ＨＥＭＳコントローラ６は、表示・入力器１０からユーザの操作が受付可能となっている。
【０１２０】
制御部６２は、上述した環境制御部１における判定部１３、優先度付与部１５、機器制御部１７における各種の処理を行う。制御部６２は、外部サーバー７から送信されて通信部６１によって受信したデマンドレスポンスに応じてデマンドレスポンスフラグ１７ｂを変更する。
【０１２１】
このような環境判断システムにおいて、図１７に示す手順で動作を行う実施例について説明する。
【０１２２】
この実施例において、室内の各環境パラメータは次に示す範囲の値とする。ＰＭ２．５、ＴＶＯＣ、ＣＯ２、温度は適正範囲内にあり、湿度が第１の閾値を超える適正範囲外となっている。
【０１２３】
Ｄｐ（室内ＰＭ２．５）＜ＳＰＵ１（第１上限値）
Ｄｖ（室内ＴＶＯＣ）＜ＳＶＵ１（第１上限値）
Ｄｃ（室内ＣＯ２）＜ＳＣＵ１（第１上限値）
ＳＨＵ１（第１上限値）＜Ｄｈ（室内湿度）＜ＳＨＵ２（第２上限値）
ＳＴＬ１（第１下限値）＜Ｄｔ（室内温度）＜ＳＴＵ１（第１上限値）
この環境判断システムは、ステップＳ１により環境パラメータを記憶部６３（計測データ記憶部１２）に記憶する。このとき、ＨＥＭＳコントローラ６は、室内環境パラメータ計測用センサ２及び屋外環境パラメータ計測用センサ３から室内及び屋外の環境パラメータを入力する。
【０１２４】
次のステップＳ２１において、制御部６２（判定部１３）は、閾値テーブル１４を参照して、環境パラメータを第１の閾値（第１上限値、第１下限値）と比較する。判定部１３は、第１下限値以下又は第１上限値以上の環境パラメータがある場合には、ステップＳ２２に処理を進める。この判定により、判定部１３は、室内湿度が適正範囲外であると判定できる。
【０１２５】
次のステップＳ２２において、判定部１３は、閾値テーブル１４を参照して、環境パラメータを第２の閾値（第２上限値、第２下限値）と比較する。判定部１３は、第２下限値以下又は第２上限値以上の環境パラメータがある場合にはステップＳ２６に処理を進め、ない場合にはステップＳ２３に処理を進める。この判定により、判定部１３は、室内湿度が第２の閾値の適正範囲外ではないと判定できる。
【０１２６】
ステップＳ２３において、制御部６２（優先度付与部１５）は、優先度テーブル１６を参照して湿度に優先度としての「４」を付与する。
【０１２７】
次のステップＳ６１において、制御部６２（機器制御部１７）は、機器選択テーブル１８から優先度が最も高い湿度に対応した実施効果度、制御方法、及び、消費エネルギーを読み込む。湿度が第１の閾値を超えているので、図５の機器選択テーブル１８から、エアコン５７、除湿器５５、及び、換気扇５６が選択される。
【０１２８】
次のステップＳ６２において、機器制御部１７は、動作機器選択処理を行う。この動作機器選択処理は、図１８に示すように、先ずステップＳ７１において、省エネモード選択フラグ１７ａ又はデマンドレスポンスフラグ１７ｂがオンとなっているか否かを判定する。これにより、機器制御部１７は、環境制御機器５の運転電力を抑制する動作モードであるか否かを判定する。何れかのフラグがオンとなっている場合にはステップＳ７３に処理を進め、双方のフラグがオンとなっていない場合にはステップＳ７２に処理を進める。これにより、何れかのフラグがオンとなっている場合には省エネを優先させる動作モードであると判定する。
【０１２９】
ステップＳ７２において、機器制御部１７は、機器使用可否テーブル１９を参照する。機器制御部１７は、ステップＳ６１にて読み込まれた環境制御機器５から、機器使用可否テーブル１９によって使用可能な環境制御機器５を選択する。ステップＳ６１にて選択された環境制御機器５がエアコン５７、除湿器５５、及び、換気扇５６であるので、図１４の機器使用可否テーブル１９から、全ての環境制御機器５が使用可能と判断される。機器制御部１７は、使用可能な環境制御機器５から、実施効果度が最も高い環境制御機器５を選択して、動作させる。この場合、実施効果度が最も高い除湿器５５を選択する。
【０１３０】
ステップＳ７３において、機器制御部１７は、機器使用可否テーブル１９から使用可能な環境制御機器５のうち、実施効果度に拘わらず消費エネルギーが最も低い環境制御機器５を選択して動作させる。図５の機器選択テーブル１８におけるエアコン５７、除湿器５５、換気扇５６のうち、消費エネルギーが最も低い換気扇５６を優先的に選択する。
【０１３１】
次に、図１７のステップＳ６に処理を進め、システム動作の終了入力が無ければステップＳ１に処理を戻し、湿度が適正範囲内になるまで処理を継続する。
【０１３２】
このような環境判断システムは、機器使用可否テーブル１９を備えることにより、各環境制御機器５が環境に備わっているかどうかを設定できる。このため、使用できる環境制御機器５が異なる環境であっても簡単に対応できる。
【０１３３】
また、この環境判断システムによれば、省エネモードが選択されていたり、電力が逼迫しデマンドレスポンスが出されているような場合に、少ない電力で環境パラメータを適正範囲内に制御することができる。
【０１３４】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【０１３５】
上述した環境制御部１における判定部１３、優先度付与部１５、機器制御部１７の機能は、上述した処理をコンピュータに実行させるプログラム（環境判断プログラム）により実現可能である。この環境判断プログラムは、複数の環境制御機器と、少なくとも温度、湿度、空気質の何れか２つ以上の環境パラメータを計測する計測手段とを有する環境制御システムにおいて、何れかの環境制御機器を選択する。この環境判断プログラムは、コンピュータによって読み込まれる。これにより、環境判断プログラムは、コンピュータに、閾値テーブル１４と、優先度テーブル１６と、機器選択テーブル１８とを参照して、複数の環境制御機器のうち何れかの環境制御機器を選択する動作を実行させることができる。
【０１３６】
また、この環境判断プログラムは、何れかの環境制御機器を選択した上で、環境制御機器を制御する処理をコンピュータに実行させることができる。
【符号の説明】
【０１３７】
１  環境制御部（環境選択装置）
２  室内環境パラメータ計測用センサ（計測手段）
３  屋外環境パラメータ計測用センサ（計測手段）
４  表示部
５  環境制御機器
１０  表示・入力器
１１  計測部（計測手段）
１２  計測データ記憶部
１３  判定部（判断手段）
１４  閾値テーブル
１５  優先度付与部（判断手段）
１６  優先度テーブル
１７  機器制御部（判断手段）
１８  機器選択テーブル
１９  機器使用可否テーブル
【図１】
2014240733.tif 000003
【図２】
2014240733.tif 000004
【図３】
2014240733.tif 000005
【図４】
2014240733.tif 000006
【図５】
2014240733.tif 000007
【図６】
2014240733.tif 000008
【図７】
2014240733.tif 000009
【図８】
2014240733.tif 000010
【図９】
2014240733.tif 000011
【図１０】
2014240733.tif 000012
【図１１】
2014240733.tif 000013
【図１２】
2014240733.tif 000014
【図１３】
2014240733.tif 000015
【図１４】
2014240733.tif 000016
【図１５】
2014240733.tif 000017
【図１６】
2014240733.tif 000018
【図１７】
2014240733.tif 000019
【図１８】
2014240733.tif 000020